(57)【特許請求の範囲】
【請求項１】
少なくとも１つの物体を運ぶためのパッケージにおいて、
前記パッケージは、少なくとも１つの壁を含み、
前記少なくとも１つの壁は、少なくとも一対の重なるフラップを含み、前記一対の重なるフラップが、外側フラップと、内側フラップを含み、
前記一対の重なるフラップの前記外側フラップは、前記一対の重なるフラップの前記内側フラップに接着して取り付けられて、前記パッケージ内部の前記少なくとも１つの物体へのアクセスを防ぎ、
前記外側フラップまたはそれぞれの前記外側フラップは、少なくとも３つの脆弱化ラインを有し、前記脆弱化ラインの少なくとも１つは他の脆弱化ラインの少なくとも１つと少なくとも１点で交差し、前記少なくとも３つの脆弱化ラインは前記フラップの１つのエッジから別のエッジまで延び、それによって前記外側フラップが前記内側フラップから分離される際に、前記外側フラップに断片を放出させ、前記パッケージ内部の前記少なくとも１つの物体にアクセスするために前記外側フラップの前記断片が取り除かれなければならないように構成されており、
前記外側フラップは、前記内側フラップに固定して取り付けられた最内層を有する積層構造体を有し、前記積層体の外層、または、前記積層体の前記外層の断片は、前記パッケージ内部の物体にアクセスを与えずに、剥ぎ取られ得る、パッケージ。
【請求項２】
請求項１に記載のパッケージにおいて、
前記パッケージは、前記少なくとも１つの物体を運ぶためのチャンバを囲む、端壁、側壁、前壁、および後壁をさらに含み、
前記端壁または側壁のうちの少なくとも１つは、前記一対の重なるフラップを含む、パッケージ。
【請求項３】
請求項２に記載のパッケージにおいて、
前記箱は、前壁、後壁、前記前壁および前記後壁の対向するエッジを接続する側壁、ならびに前記側壁と前記前壁および後壁それぞれとの間の端壁を備える、直角で六面の箱である、パッケージ。
【請求項４】
請求項２に記載のパッケージにおいて、
前記端壁は双方、一対の重なるフラップを含み、各対の重なるフラップの前記フラップは、別々の壁から延び、
各前記対の前記外側フラップは、各前記対の前記内側フラップに接着して取り付けられて、前記パッケージ内の前記少なくとも１つの物体へのアクセスを防ぐ、パッケージ。
【請求項５】
請求項２に記載のパッケージにおいて、
前記側壁のうちの少なくとも１つが、前記少なくとも一対の重なるフラップを含み、各対の重なるフラップの前記フラップは、別々の壁から延び、
各前記対の前記外側フラップは、各前記対の前記内側フラップに接着して取り付けられて、前記パッケージ内の前記少なくとも１つの物体へのアクセスを防ぐ、パッケージ。
【請求項６】
請求項１に記載のパッケージにおいて、
前記パッケージは、ボール紙、紙、ポリマー、例えばジメチル−２，６−ナフタレンジカルボン酸または２，６−ナフタレンジカルボン酸モノマーベースのポリマー、例えばポリエチレンナフタレート（ＰＥＮ）またはポリトリメチレンナフタレート（ＰＴＮ）、アクリロニトリルとメタクリレートとのコポリマー（Barex（登録商標）の商品名でB.P.-Sohioが販売）、液晶ポリマー、およびこれらの任意の組み合わせからなる群から選択された材料から製造される、パッケージ。
【請求項７】
請求項６に記載のパッケージにおいて、
前記壁は、少なくとも２つのシートの積層体であり、前記シートはそれぞれ、ボール紙、紙、ポリマー、例えばジメチル−２，６−ナフタレンジカルボン酸または２，６−ナフタレンジカルボン酸モノマーベースのポリマー、例えばポリエチレンナフタレート（ＰＥＮ）またはポリトリメチレンナフタレート（ＰＴＮ）、アクリロニトリルとメタクリレートとのコポリマー（Barex（登録商標）の商品名でB.P.-Sohioが販売）、液晶ポリマー、およびこれらの任意の組み合わせからなる群から選択された材料で形成される、パッケージ。
【請求項８】
請求項１に記載のパッケージにおいて、
前記脆弱化ラインは、直線であり、少なくとも２本の脆弱化ラインは、互いに平行である、パッケージ。
【請求項９】
請求項１に記載のパッケージにおいて、
前記脆弱化ラインは、非線形である、パッケージ。
【請求項１０】
請求項１に記載のパッケージにおいて、
前記外側フラップの一部のみが、前記内側フラップに接着して取り付けられる、パッケージ。
【請求項１１】
請求項１に記載のパッケージにおいて、
前記パッケージは、たばこ依存症を治療するための１つまたは複数の物質を含む、固体または半固体の製薬剤形用のパッケージである、パッケージ。
【請求項１２】
請求項１１に記載のパッケージにおいて、
前記固体または半固体の製薬剤形は、チューインガム、トローチ剤、および錠剤からなる群から選択される、パッケージ。
【請求項１３】
請求項１１に記載のパッケージにおいて、
前記たばこ依存症を治療するための物質は、任意の形態のニコチンである、パッケージ。
【請求項１４】
ブランクにおいて、
請求項１に記載のパッケージを得るために折り畳まれ得る、ブランク。
【請求項１５】
請求項８に記載のパッケージにおいて、
前記非線形の脆弱化ラインは、湾曲したもの、または、互いに対して傾斜した複数の相互接続されたまっすぐな線形部分のうちの少なくとも１つである、パッケージ。
【請求項１６】
請求項７に記載のパッケージにおいて、
前記少なくとも１つの壁は、少なくとも２枚のシートの積層体であり、
前記外側フラップの一部のみが、前記内側フラップに接着して取り付けられる、パッケージ。
【発明の詳細な説明】
【開示の内容】
【０００１】
〔発明の分野〕
本発明は、概して、包みの分野に関し、具体的には、パッケージに関する。より具体的には、本発明は、箱に関し、これは、箱の中身に対するアクセスを与えずに、箱を開けようと干渉され得るものである。
【０００２】
〔発明の背景〕
箱などのパッケージは、チューインガムなど、多量の物体からの個々の物体といった物品を運び、包みの開口部を通じて１回に１個ずつ分配するために、これまで提案されてきた。そのようなパッケージは、典型的には、それらの物体を手元に有するために消費者によって運ばれる。
【０００３】
家庭では、このような箱は、しばしば、卓上など、容易にアクセスできる場所で見られる。しかしながら、これは、子供たちにとっては安全性リスクとみなされ得る。というのは、子供たちは、箱にアクセスでき、箱内部の物体にもアクセスできるためである。よって、子供に安全であるか、または少なくとも子供が操作できないものであり、かつ箱内部の物体へのアクセスを与えずにしばらくの間干渉に耐えることのできる、パッケージが必要とされている。
【０００４】
ＷＯ０８／０５４３０５に開示されるものなど、当技術分野において子供に安全であるか、または子供が操作できない箱の例があるが、このような箱のデザインは、認可されたアクセスを与えるよう意図されたルートを介して、子供が箱の中身にアクセスするのを防ぐことに関連しているに過ぎない。したがって、このような箱の中身にアクセスするために使用され得る、代わりのルートには取り組まれていない。
【０００５】
しかしながら、先行技術において現存するような包装は、概して、子供がその包装を開けるのを防ぐのではなく、干渉の証拠を提供する問題に関連している。したがって、このような包装は、容易に開けることができ、中身へのアクセスは、意図したもの以外のルートを介して得られる。
【０００６】
子供に安全なものとすべき、調合薬を対象としたパッケージは、典型的には、蓋またはキャップを開けるのに特別な取り扱いを必要とする、プラスチックおよびガラスの瓶／缶である。さらに、中身は、蓋で覆われた開口部を介してアクセスされ得るのみである。
【０００７】
調合薬は、ボール箱内にも包装される。しかしながら、多くのそのような箱は、子供に安全でないか、または子供が操作できないものではないので、子供のいる家庭で保管する際には、ロックされなければならない。
【０００８】
ボール箱は、上着のポケットの中などに入れて持ち運ばれるのに適しているが、子供に安全なプラスチックおよびガラスの瓶／缶は、非常にかさばるので、典型的には、容易に持ち運びできない。
【０００９】
したがって、調合薬を対象としており、過度にかさばらず、かつ容易に持ち運びできる、子供に安全であるか、または子供が操作できない包装が必要とされている。
【００１０】
〔発明の概要〕
したがって、本発明は、好ましくは、当技術分野における前記に特定した欠陥、および不利益のうちの１つまたは複数を、単独に、または任意の組み合わせで、軽減、緩和、排除、または回避しようとしており、かつ、１つまたは複数の物品、例えば多量の物体を運ぶためのチャンバを囲む箱を提供することにより、前述した問題を少なくとも解決する。一実施形態では、本発明に従って形成された箱は、少なくとも１つの壁を含み、この壁は、一対の重なるフラップを含み、これらのフラップは、別々の他の壁から延びており、この対の外側フラップは、この対の内側フラップに接着して取り付けられて、箱内部の物体へのアクセスを妨げており、外側フラップは、箱が干渉された場合に箱内部の物体へのアクセスを与えることなく、そのフラップ自体から断片を放出するように構成されている。
【００１１】
本発明の一態様によると、内部に収容された物体への、認可されていないアクセスを妨げるか、または少なくとも大幅に遅延させる箱が提供される。好ましくは、このような遅延は、十分に意義深く、子供は、辛抱できなくなり興味を失って、箱を開ける戦術（box-opening tactics）を変え、これにより、事実上、箱を開封することができない。
【００１２】
本発明のさらなる利点および特徴は、従属請求項に、また、本明細書に開示される実施形態に関して、定められる。
【００１３】
本発明が可能なこれらおよび他の態様、特徴、および利点は、本発明の実施形態に関する以下の説明、添付図面への参照により、明らかとなり、はっきりと説明されるであろう。
【００１４】
〔詳細な説明〕
以下の説明は、箱を子供に安全であるか、または少なくとも子供が操作できないようにするために箱に適用可能な本発明の実施形態に注目する。この箱は、例えば、チューインガム、トローチ剤、錠剤、砂糖菓子などといった物体、特に、ニコチンを含むチューインガムなど、子供が摂取すべきでない成分を含有する物体を運び、分配するのに使用され得る。しかしながら、本発明はこの適用に限定されるものではなく、本発明の範囲から逸脱しない、多くの他の分配用箱、例えば、トローチ剤、錠剤、砂糖菓子などを運び、分配するための箱、にも適用され得ることが、理解されるであろう。
【００１５】
図１〜図３に従った第１の実施形態によると、１つまたは複数の物体、例えば多量の物体を運ぶための箱１００が提供される。箱１００は、典型的には、ブランクを折り畳むことにより製造されるので、箱１００は、典型的には、ボール紙（carton）、紙、ポリマー（ジメチル−２，６−ナフタレンジカルボン酸または２，６−ナフタレンジカルボン酸モノマー（dimethyl-2,6-naphtalene dicarboxylic or 2,6-naphtalene dicarboxylic acid monomers）ベースのポリマー、例えばポリエチレンナフタレート（ＰＥＮ）またはポリトリメチレンナフタレート（ＰＴＮ）、アクリロニトリルとメタクリレートとのコポリマー（Barex（登録商標）の商品名でB.P.-Sohioが販売）、または液晶ポリマー）、あるいは、これらの材料の任意の組み合わせなどの、折り畳み可能な材料から形成される。箱１００がボール紙、紙、積層体、または厚紙の箱である場合、製造コストが低く維持され得ると同時に、複数の箱の複数包装（multi-packaging）について十分な強度が保たれる。箱１００が、ポリマー、例えば、ジメチル−２，６−ナフタレンジカルボン酸または２，６−ナフタレンジカルボン酸モノマーベースのポリマー、例えばポリエチレンナフタレート（ＰＥＮ）またはポリトリメチレンナフタレート（ＰＴＮ）、アクリロニトリルとメタクリレートとのコポリマー（Barex（登録商標）の商品名でB.P.-Sohioが販売）、の箱である場合、箱とその中身（例えばニコチン）との間の反応は、最小限に抑えられ得る。
【００１６】
箱の壁は、少なくとも２枚のシートの積層体であってもよく、これらのシートはそれぞれ、ボール紙、紙、ポリマー（ジメチル−２，６−ナフタレンジカルボン酸または２，６−ナフタレンジカルボン酸モノマーベースのポリマー、例えばポリエチレンナフタレート（ＰＥＮ）またはポリトリメチレンナフタレート（ＰＴＮ）、アクリロニトリルとメタクリレートとのコポリマー（Barex（登録商標）の商品名でB.P.-Sohioが販売）、または液晶ポリマーなど）、あるいはこれらの材料の任意の組み合わせからなる群から選択される材料でできている。
【００１７】
壁の内側は、箱の内部を、湿気および酸素が通らない（moist and oxygen tight）ように保つのに適した材料で覆われてよい。箱の壁の内側を覆う適切な材料は、アルミホイルなどの金属ホイルである。
【００１８】
さらに、このような箱は、典型的には、当業者には周知のように、ブランクを折り畳み、壁のエッジに蝶番式に取り付けられた重なるフラップを互いに接着して取り付けることにより、得ることができる。
【００１９】
図１に示す、端壁が折り畳まれていない例示的な箱１００は、前壁１０３、後壁１０４、これら前壁および後壁の対向するエッジを接続する側壁１０１、１０５、ならびに、側壁１０１、１０５と前壁１０３および後壁１０４それぞれとの間にある端壁１０２、１０６を備えた、直角な六面の箱である。箱１００の壁は、物体などの物体を運ぶためのチャンバを囲む。
【００２０】
箱１００が、図１〜図３に示す例示的な実施形態に従って、六面で直角の箱である場合、複数の箱の包装および輸送が改善される。これは、六面で直角の箱は、複数包装において、容積効率がよい（volume effective）ためである。さらに、箱の壁のエッジに蝶番式に取り付けられた重なるフラップを互いに取り付けることは、フラップが取り付けられる壁が平坦である場合に改善される。しかしながら、箱の形状、箱の境界（limits）を構成する壁の数は、異なっていてよい。この点において、壁の数は、２つ、３つ、４つ、５つなどであってよく、そのため、壁が、前記説明に従って少なくとも１つの物体、例えば多量の物体を運ぶためのチャンバを画定し、また、箱の壁のエッジに蝶番式に取り付けられた重なるフラップが、互いに接着して取り付けられることを可能にする限り、壁は必ずしも平坦でなくてよく、壁と壁との間の角度は、必ずしも直角でなくてよい。
【００２１】
パッケージブランクを折り畳むことにより形成される箱の壁のうちの１つまたは複数は、典型的には、２つの重なるフラップ２０１、２０２から形成される。これらのフラップは、接着剤などによって、互いに取り付けられてよい。典型的には、端壁１０２、１０６のうちの少なくとも１つ、および、側壁１０１のうちの１つは、２つの重なるフラップ２０１、２０２により形成され、残りの側壁１０５、前壁１０３、および後壁１０４は、パッケージブランクの単一の層である。
【００２２】
パッケージブランクの単一の層であってよい壁は、典型的には、いたずらを防止するようになっており、重なるフラップ２０１、２０２により形成された壁など、重なるフラップにより形成された壁の外側フラップは、内側フラップから分離され得るが、互いに接着して取り付けられている。外側フラップ２０１を内側フラップ２０２から分離する試みがなされた場合に、断片１１０が外側フラップから放出されるように外側フラップを構成することによって、箱内部にある物体へのアクセスは、妨げられるか、または少なくとも遅延されることができる。これは、箱内部の物体にアクセスするためには、外側フラップの主要部分がピースごとに取り外されなければならないためである。これは、箱内に収容された物体がニコチンまたは他の医薬物質を含む場合などに、そのような物体に子供がアクセスするのを防ぐのに大いに役立つ。というのは、子供は、箱の中身にアクセスするために長時間にわたり箱の同じ部分を操作する際に、ほとんどの場合、粘り強さがない。よって、箱内部の物体へのアクセスを生じずに、長時間干渉することが、達成され得る。
【００２３】
したがって、前記に開示した箱において、端壁１０２、１０６のうちの少なくとも１つ、または側壁１０１、１０５のうちの少なくとも１つは、別々の壁から延びる一対の重なるフラップから形成され得る。外側フラップ２０１、２０３は、対応する内側フラップ２０２、２０４に接着して取り付けられ得る。よって、箱内部の物体へのアクセスが、妨げられるか、または、少なくとも著しく邪魔をされる。箱内部の物体への、認可されていないアクセスを完全に妨げるか、または少なくとも遅延させるために、外側フラップは、干渉された場合に断片を放出するように構成される。言い換えれば、（外側フラップを内側フラップから解放して、箱１００の中身にアクセスするため）外側フラップに干渉すると、外側フラップが徐々に破砕し、外側フラップは、単一の部品として内側フラップから容易に取り外すことができない。箱１００の中身にアクセスしようとする人は、外側フラップを内側フラップから完全に分離することにより箱１００の中身にアクセスするために、いくつもの断片を根気強く引き離し続けなければならない。
【００２４】
端壁１０２、１０６双方が干渉される場合があるので、双方が、このような対の重なるフラップ２０１、２０２、２０３、２０４を含み、また、双方の壁における外側フラップ２０１、２０３が、干渉された場合に断片を放出するように構成されることが、好ましい。
【００２５】
側壁１０１、１０５は、典型的には端壁１０２、１０６より長いので、干渉されにくいが、外側フラップ２０１、２０３は、内側フラップ２０２、２０４から分離させるのがさらに困難なので、それでもなお、側壁１０１、１０５のうちの一方がこのような一対の重なるフラップを含むと好ましく、また、外側フラップ２０１、２０３が干渉された場合に断片１１０を放出するように構成されることが好ましい。
【００２６】
外側フラップ２０１、２０３は、干渉された場合に断片を放出し得るように、異なった形で構成されてもよい。このような構成は、個々に使用されてもよく、あるいは、相乗効果を達成するために組み合わせられてもよい。
【００２７】
図１〜図３に示す実施形態などの、一実施形態によると、端壁１０２、１０６の外側フラップ２０１、２０３は、交差する脆弱化ライン１１１で形成された格子構造を備えている。脆弱化ライン１１１は、２組の平行な脆弱化ライン１１１として構成されてよく、これらの組は、互いに垂直である。脆弱化ライン１１１間に、脆弱化ライン１１１に沿って裂いた結果として、断片１１０が得られる。よって、外側フラップ２０１、２０３は、少なくとも１地点で互いに交差する、少なくとも２本の脆弱化ライン１１１を有する。脆弱化ライン１１１は、ノッチラインまたはミシン目ライン（perforation lines）であってよい。ノッチラインは、この状況では、連続または非連続のノッチのラインと解釈されることを意図しており、ノッチは、材料の厚さ全体を通り抜けず、材料の厚さの一部を通るに過ぎないが、ミシン目ラインは、この状況では、ミシン目のラインと解釈されることを意図しており、ミシン目は、材料の厚さ全体を通り抜ける。フラップの１つのエッジから別のエッジに延び得る、平行な脆弱化ライン１１１の群を有することにより、これらのラインは、フラップを複数の領域、すなわち断片１１０に分割する。干渉されると、フラップの断裂が生じ、これにより、１回に１つの領域／断片１１０が放たれるので、箱の中身にアクセスするのが妨げられるか、またはアクセスする時間が少なくとも引き延ばされる。外側フラップ２０１、２０３は対応する内側フラップ２０２、２０４に接着して取り付けられているので、外側フラップ２０１、２０３を内側フラップ２０２、２０４から分離しようとすると、外側フラップ２０１、２０３は脆弱化ライン１１１において断裂し、これにより、１つの断片またはいくつかの断片１１０が放出される。さらに、少なくとも１つの地点で互いに交差する２本の脆弱化ライン１１１があることにより、フラップに脆弱化地点が与えられる。互いに交差し、ゆえに、脆弱化地点を提供する２本の脆弱化ライン１１１の存在は、外側フラップが、干渉された場合に断片１１０を放出でき、単に断裂するのではないことを、意味している。さらに、重要なことには、フラップは、典型的には、交差地点、すなわち脆弱化地点で、または、脆弱化ライン１１１のうち少なくとも１本がフラップのエッジまで、もしくはその近くに延びている場合にはフラップのエッジで、断裂し始める。
【００２８】
脆弱化ライン１１１がミシン目ラインである場合、脆弱化ライン１１１がそれ自体に沿って連続して断裂することが確かとなり得る。これは、脆弱化ライン１１１の複数の部分が既に破れていることにより、断片１１０の放出が改善され得るためである。
【００２９】
それぞれが少なくとも１つの地点で残りのラインのうちの少なくとも１本と交差する、少なくとも三つ（３つ）、例えば少なくとも五つ（５つ）、少なくとも十個（１０個）、または少なくとも二十個（２０個）の脆弱化ライン１１１を有することにより、放出され得る断片１１０の数は、増加し得る。
【００３０】
このような脆弱化ラインは、互いに独立して、直線、曲線、または、互いに対して角度をなすまっすぐな線形部分を含むライン、例えばＬ字型、Ｕ字型、またはジグザグのラインであってよい。直線、または、まっすぐな線形部分を含むラインは、打ち抜きによって、達成するのがより容易であろう。
【００３１】
本明細書に開示するような脆弱化ラインの少なくとも１つの端部は、このフラップのエッジまで、または、少なくともそのエッジに近接して延びることができる。これにより、干渉された際に、断裂は、典型的にはこのエッジで始まる。
【００３２】
ノッチラインもしくはミシン目ラインに加えて、またはその代わりに、外側フラップの一部のみが、内側フラップに接着して取り付けられてよく、これにより、選択された脆弱化ラインに沿って裂く際に内側フラップと外側フラップとの間の非接着部分により断片が形成される。これらの非接着部分は、図１〜図３による実施形態の複数組のラインのうちの１つと比べて、１組の平行なラインに配列され得る。２組が互いに垂直である２本の平行なラインを配列することにより、図１〜図３に開示する実施形態に合致して、非接着部分を格子構造として配列することも可能である。これにより、外側フラップの、取り付けられた部分と取り付けられていない部分との境界線で、断裂が生じ得る。したがって、干渉された際に、フラップの断片が放出され得る。典型的には、外側フラップは、適切な接着剤を使用することにより、内側フラップに接着して取り付けられる。取り付けられた部分は、ノッチラインまたはミシン目ラインにより分離されるフラップの領域に対応することができる。さらに、このような領域の一部のみが取り付けられていれば十分であろう。しかしながら、このような領域の主要部分、例えば少なくとも７５％が、取り付けられていると好ましい。
【００３３】
さらには、ノッチラインもしくはミシン目ライン、および／または外側フラップを内側フラップに部分的にのみ取り付けることの代わりとして、またはこれらに加えて、外側フラップは、積層構造体を有してよい。積層体の最内層の少なくとも一部が、内側フラップに固定して取り付けられることができる。これにより、積層体の外層、または積層体の外層の断片が、フラップ全体を取り外すことなく、剥ぎ取られ得る。積層体はいくつかの層を含むので、（互いに層状になった）より多くの断片が、フラップ全体を取り外し得る前に、剥ぎ取られる必要がある。
【００３４】
本明細書に開示するような箱は、物体（チューインガム、トローチ剤、錠剤など）といった物体を運び、分配するのに使用され得る。箱１００は、子供が操作できないように箱１００内部から物体を分配することを可能にするために、子供が操作できない開封手段を有することが好ましい。箱１００は、たばこ依存症を治療するための１つまたは複数の物質を含む、固体または半固体の製薬剤形用のパッケージであってよい。たばこ依存症を治療するための物質は、ニコチンであってよい。よって、特定の一実施形態では、箱１００は、ニコチンを含むチューインガム用のパッケージである。
【００３５】
本発明の前述した原理に従って形成された箱は、参照により全体として本明細書に組み込まれる公開済みの特許出願ＷＯ２００６／１３１８３０およびＷＯ２００８／０６２３０４に開示されるものなど、少なくとも１つの外側ケーシング１０７と、外側ケーシング１０７内部に入れ子式に配列された少なくとも１つの内側ケーシング１０８と、をさらに含むことができる。内側ケーシングは、箱１００の側壁または前壁に開口部を備えることができる。内側ケーシング１０８は、外側ケーシング１０７内部にスライド可能に収容され、よって、第１の閉鎖構成と第２の開放構成との間で移動することができる。閉鎖構成では、内側ケーシング１０８は、後退させられ、外側ケーシング１０７が開口部（不図示）を覆って位置し、図１〜図３に示すように開口部を完全に隠し、それにより、箱１００を閉じ、箱内に収容された物体を閉じ込める。開放構成では、内側ケーシング１０８は、外側ケーシング１０７からある距離だけ延びて、開口部が少なくとも部分的に露出される。外側ケーシング１０７はその後、開口部を覆って位置する。
【００３６】
一実施形態では、外側ケーシング１０７は、矩形の基部を備えた直角平行六面体のように見え、箱１００の底部、および４つの面で作られた側壁を呈している。外側ケーシング１０７は、内側ケーシング１０８および箱１００の底部に対向する、開口端部を呈し、内側ケーシング１０８を収容するのに役立つ。内側ケーシング１０８は、同じように、矩形の基部を有する平行六面体のように見え、箱１００の上部、４つの面で作られた側壁、および箱１００の矩形の基部に対向する開口端部を示している。好ましくは、開口部が、その後で、内側ケーシング１０８の側壁の４つの面のうちの１つに配される。
【００３７】
内側ケーシング１０８は、その開口端部を先頭にして、外側ケーシング１０７内に入れ子式に挿入され、内側ケーシング１０８の基部は、箱１００の上部（端壁１０２）を形成し、外側ケーシング１０７の基部は、箱１００の底部、すなわち端壁１０６を形成する。好ましくは、内側ケーシング１０８は、閉鎖構成であっても、外側ケーシング１０７の底部に達することなく、外側ケーシング１０７内の途中まで嵌まるのみである。内側ケーシング１０８および外側ケーシング１０７は、製品を収容するのに役立ち、互いにスライド可能なケーシングが互いに対して転置する際に容量が変化する、箱１００のチャンバの境界を定めるように組み合わせられる。製品を収容するチャンバは、内側ケーシング１０８の開口部によって、周囲の外部空間と連絡している。内側ケーシング１０８は、図１の開示に従って、後退状態、すなわち前述した閉鎖構成の間を、箱１００の長さ方向軸Ｘに沿ってスライドする。
【００３８】
閉鎖構成では、外側ケーシング１０７の開口端部を画定する外側ケーシング１０７の側壁のエッジは、内側ケーシング１０７の側壁と基部との間のエッジと実質的に同一平面である。開口部は、外側ケーシング１０７の側壁によって進められる（breasted）。開放構成では、内側ケーシング１０８は、外側ケーシング１０７から外側にスライドし、内側ケーシング１０８の開口部は、外側ケーシング１０７の開口端部を画定する外側ケーシング１０７の側壁のエッジより上で露出される。
【００３９】
安定化手段が、内側ケーシング１０８と外側ケーシング１０７との間に置かれて配されており、これは、開放構成および閉鎖構成それぞれを安定させるのに役立ち、箱は、使用中でないときに偶発的に開かないし、また、中身が分配されている間に偶発的に閉じない。このような安定化手段は、それらが作製される材料、概してボール紙、紙、積層体、Barex、またはプラスチックの柔軟な性質を活用することにより、機能する。したがって、この場合、このような手段は、可撓性安定化手段とされる。さらに正確には、安定化手段は、外側ケーシング１０７の側壁および内側ケーシング１０８の側壁に蝶番式に取り付けられ、かつ外側ケーシング１０７の前述した側壁とスライド接触して進められる、少なくとも１つの接続付属物を含む。この付属物は、例えば、一端部において内側ケーシング１０８の開口端部を画定するエッジに取り付けられ、他端部において外側ケーシング１０７の側壁の内側に取り付けられることができる。例示的な安定化手段が、本出願に組み込まれる、前記の公開済みの特許出願ＷＯ２００６／１３１８３０およびＷＯ２００８／０６２３０４に示されている。
【００４０】
子供が操作できない開封手段を有する箱のいくつかの変形体が、当技術分野で既知である。図２では、ロック部材１０９が開示される。ロック部材１０９は、内側ケーシング１０８の側壁から外側に突出する隆起エッジを提供することにより作られることができる。箱１００の閉鎖構成では、すなわち、内側ケーシング１０８が外側ケーシング１０７内で後退位置にある場合、内側ケーシング１０８の隆起エッジは、外側ケーシング１０７の側壁の内側における対応する隆起エッジに係合する。内側ケーシング１０８の隆起エッジが内側に押されると、外側ケーシング１０７の隆起エッジとの係合が緩み、これにより、内側ケーシング１０８は、図１に示す長さ方向軸Ｘに沿って外側にスライドすることができる。内側ケーシング１０８の隆起エッジを押すことは、箱１００の外側の対応する位置に印をつけることによって、容易になる。これは、この対応する位置における外側ケーシング１０７の側壁の貫通スロットによってさらに容易になり、このスロットは、スロット上の少なくとも１つの地点において係合位置に実質的に対応する。好ましくは、このスロットは湾曲しており、これにより、押すことがさらに容易になる。これは、同時に外側ケーシング１０７を同じ方向に動かさずに、内側ケーシング１０８の隆起エッジをさらに内側に押すことができるためである。
【００４１】
本発明は、特定の実施形態に関して前述されてきたが、本明細書に記載する特定の形態に限定されることを意図してはいない。むしろ、本発明は、請求項によってのみ限定されるものであり、前記した特定のもの以外の実施形態は、請求項の範囲内で、等しく可能である。本発明の趣旨および範囲から逸脱せずに、さまざまな追加、改変、および置換を行うことができる。具体的には、本発明は、本発明の趣旨または本質的な特徴から逸脱せずに、他の特定の形態、構造、配列、割合で、また、他の要素、材料、および構成要素を備えて、具体化され得ることが、当業者には明らかであろう。当業者は、本発明が、本発明の実施において使用され、本発明の原理から逸脱せずに特定の環境および動作要件に特に適合された、構造、配列、割合、材料、および構成要素その他の多くの改変と共に使用され得ることを、理解するであろう。
【００４２】
請求項において、用語「含む（comprises/comprising）」は、他の要素または工程の存在を排除するものではない。さらに、個別に記載したが、複数の手段、要素、または方法工程は、例えば単一のユニットまたはプロセッサによって実行され得る。加えて、個々の特徴が異なる請求項に含まれ得るが、これらは、恐らくは、有利なことに組み合わせられてよく、また、異なる請求項に含まれることは、特徴の組み合わせが実行可能ではない、かつ／または有利ではないことを示すものではない。さらに、単数形での言及は、複数形を排除するものではない。用語「１つの（"a", "an"）」、「第１の」、「第２の」などは、複数のものを除外するものではない。請求項中の参照符号は、単に、明確にする例として提供されただけであり、いかなる形であれ請求項の範囲を制限するものと解釈されてはならない。
【００４３】
〔実施の態様〕
（１）  少なくとも１つの物体を運ぶためのパッケージであって、
前記パッケージは、少なくとも１つの壁を含み、
前記少なくとも１つの壁の少なくとも一部は、第２の材料シートに重なり、かつ少なくとも部分的に接着した、第１の材料シートを含み、
少なくとも１つの脆弱化部が、前記第１のシートに形成され、前記パッケージ内の前記少なくとも１つの物体にアクセスするため前記第１のシートが前記第２のシートから分離される際に、前記第１のシートに断片を放出させる、パッケージ。
（２）  実施態様１に記載のパッケージにおいて、
前記少なくとも１つの壁は、少なくとも一対の重なるフラップを含み、第１の材料シートが、前記一対の重なるフラップの外側フラップを含み、第２の材料シートが、前記一対の重なるフラップの内側フラップを含み、
前記一対の重なるフラップの前記外側フラップは、前記一対の重なるフラップの前記内側フラップに接着して取り付けられて、前記パッケージ内部の前記少なくとも１つの物体へのアクセスを防ぎ、
少なくとも１つの脆弱化部が、前記外側フラップに形成され、前記パッケージ内の前記少なくとも１つの物体にアクセスするため前記外側フラップが前記内側フラップから分離される際に、前記外側フラップに断片を放出させる、パッケージ。
（３）  実施態様２に記載のパッケージにおいて、
前記パッケージは、前記少なくとも１つの物体を運ぶためのチャンバを囲む、端壁、側壁、前壁、および後壁をさらに含み、
前記端壁または側壁のうちの少なくとも１つは、前記一対の重なるフラップを含む、パッケージ。
（４）  実施態様３に記載のパッケージにおいて、
前記箱は、前壁、後壁、前記前壁および前記後壁の対向するエッジを接続する側壁、ならびに前記側壁と前記前壁および後壁それぞれとの間の端壁を備える、直角で六面の箱である、パッケージ。
（５）  実施態様３に記載のパッケージにおいて、
前記端壁は双方、一対の重なるフラップを含み、各対の重なるフラップの前記フラップは、別々の壁から延び、
各前記対の前記外側フラップは、各前記対の前記内側フラップに接着して取り付けられて、前記パッケージ内の前記少なくとも１つの物体へのアクセスを防ぎ、
少なくとも１つの脆弱化部が、前記外側フラップに形成され、前記外側フラップが前記内側フラップから分離される際に、前記パッケージ内の前記少なくとも１つの物体へのアクセスを与えずに、前記外側フラップに断片を放出させる、パッケージ。
【００４４】
（６）  実施態様３に記載のパッケージにおいて、
前記側壁のうちの少なくとも１つが、前記少なくとも一対の重なるフラップを含み、各対の重なるフラップの前記フラップは、別々の壁から延び、
各前記対の前記外側フラップは、各前記対の前記内側フラップに接着して取り付けられて、前記パッケージ内の前記少なくとも１つの物体へのアクセスを防ぎ、
少なくとも１つの脆弱化部が、前記外側フラップに形成され、前記外側フラップが前記内側フラップから分離される際に、前記パッケージ内の前記少なくとも１つの物体へのアクセスを与えずに、前記外側フラップに断片を放出させる、パッケージ。
（７）  実施態様１に記載のパッケージにおいて、
前記パッケージは、ボール紙、紙、ポリマー、例えばジメチル−２，６−ナフタレンジカルボン酸または２，６−ナフタレンジカルボン酸モノマーベースのポリマー、例えばポリエチレンナフタレート（ＰＥＮ）またはポリトリメチレンナフタレート（ＰＴＮ）、アクリロニトリルとメタクリレートとのコポリマー（Barex（登録商標）の商品名でB.P.-Sohioが販売）、液晶ポリマー、およびこれらの任意の組み合わせからなる群から選択された材料から製造される、パッケージ。
（８）  実施態様７に記載のパッケージにおいて、
前記壁は、少なくとも２つのシートの積層体であり、前記シートはそれぞれ、ボール紙、紙、ポリマー、例えばジメチル−２，６−ナフタレンジカルボン酸または２，６−ナフタレンジカルボン酸モノマーベースのポリマー、例えばポリエチレンナフタレート（ＰＥＮ）またはポリトリメチレンナフタレート（ＰＴＮ）、アクリロニトリルとメタクリレートとのコポリマー（Barex（登録商標）の商品名でB.P.-Sohioが販売）、液晶ポリマー、およびこれらの任意の組み合わせからなる群から選択された材料で形成される、パッケージ。
（９）  実施態様２に記載のパッケージにおいて、
前記外側フラップ、または前記外側フラップのそれぞれは、少なくとも２本の脆弱化ラインを有し、前記脆弱化ラインは、少なくとも１つの地点で互いに交差する、パッケージ。
（１０）  実施態様９に記載のパッケージにおいて、
前記外側フラップ、または前記外側フラップのそれぞれは、少なくとも３本の脆弱化ラインを有し、前記脆弱化ラインのうちの少なくとも１本は、少なくとも１つの地点で、残りのラインのうちの少なくとも１本と交差する、パッケージ。
【００４５】
（１１）  実施態様９に記載のパッケージにおいて、
前記脆弱化ラインは、直線であり、少なくとも２本の脆弱化ラインは、互いに平行である、パッケージ。
（１２）  実施態様９に記載のパッケージにおいて、
前記脆弱化ラインは、非線形である、パッケージ。
（１３）  実施態様９に記載のパッケージにおいて、
前記脆弱化ラインのうちの少なくとも１本の少なくとも１つの端部が、前記フラップのエッジへと延びる、パッケージ。
（１４）  実施態様２に記載のパッケージにおいて、
前記外側フラップの少なくとも一部のみが、前記内側フラップに接着して取り付けられる、パッケージ。
（１５）  実施態様２に記載のパッケージにおいて、
前記外側フラップは、前記内側フラップに固定して取り付けられた最内層を有する積層構造体を有し、前記積層体の外層、または、前記積層体の前記外層の断片は、前記パッケージ内部の物体にアクセスを与えずに、剥ぎ取られ得る、パッケージ。
【００４６】
（１６）  実施態様１に記載のパッケージにおいて、
前記パッケージは、たばこ依存症を治療するための１つまたは複数の物質を含む、固体または半固体の製薬剤形用のパッケージである、パッケージ。
（１７）  実施態様１６に記載のパッケージにおいて、
前記固体または半固体の製薬剤形は、チューインガム、トローチ剤、および錠剤からなる群から選択される、パッケージ。
（１８）  実施態様１６に記載のパッケージにおいて、
前記たばこ依存症を治療するための物質は、任意の形態のニコチンである、パッケージ。
（１９）  ブランクにおいて、
実施態様１に記載のパッケージを得るために折り畳まれ得る、ブランク。
（２０）  実施態様１１に記載のパッケージにおいて、
前記非線形の脆弱化ラインは、湾曲したもの（curved）、または、互いに対して傾斜した複数の相互接続されたまっすぐな線形部分のうちの少なくとも１つである、パッケージ。
【００４７】
（２１）  実施態様８に記載のパッケージにおいて、
前記少なくとも１つの壁は、少なくとも２つの材料シートの積層体であり、
前記第１のシートの少なくとも一部のみが、前記第２のシートに接着して取り付けられる、パッケージ。
【図面の簡単な説明】
【００４８】
【図１】本発明の一実施形態による箱の正面図であり、端壁が、折り畳まれていない状態にある。
【図２】本発明の一実施形態による箱の側面図であり、端壁が、折り畳まれていない状態にある。
【図３】本発明の一実施形態による箱ブランクの図である。
【図１】
0006049622.tif 000002
【図２】
0006049622.tif 000003
【図３】
0006049622.tif 000004